Podtech/llm-jp-corpus-v4-ja_patent huggingface dataset:
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
脂質ナノ粒子内に製剤化された単純ヘルペスウイルス（ＨＳＶ）抗原性ポリペプチドをコードするオープンリーディングフレームを有するリボ核酸（ＲＮＡ）ポリヌクレオチドを含む、ＨＳＶワクチンであって、
前記脂質ナノ粒子が、イオン性カチオン性脂質と、非カチオン性脂質と、ステロールと、ＰＥＧ修飾脂質とを含み、
前記ＲＮＡポリヌクレオチドがメッセンジャーリボ核酸（ｍＲＮＡ）である、ＨＳＶワクチン。
【請求項２】
前記抗原性ポリペプチドが、ＨＳＶ−２糖タンパク質Ｂ、ＨＳＶ−２糖タンパク質Ｃ、ＨＳＶ−２糖タンパク質Ｄ、ＨＳＶ−２糖タンパク質Ｅ、ＨＳＶ−２糖タンパク質ＩＳ、及びＨＳＶ−２  ＩＣＰ４タンパク質から選択される、請求項１に記載のＨＳＶワクチン。
【請求項３】
（ｉ）ＨＳＶ−２糖タンパク質Ｂ、ＨＳＶ−２糖タンパク質Ｃ、ＨＳＶ−２糖タンパク質Ｄ、ＨＳＶ−２糖タンパク質Ｅ、ＨＳＶ−２糖タンパク質ＩＳ、及びＨＳＶ−２  ＩＣＰ４タンパク質から選択される２つのＨＳＶ抗原性ポリペプチドをコードするオープンリーディングフレームを有するＲＮＡポリヌクレオチドであって、場合によりＨＳＶ−２糖タンパク質ＣとＨＳＶ−２糖タンパク質ＤとをコードするＲＮＡポリヌクレオチド、あるいは
（ｉｉ）ＨＳＶ−２糖タンパク質Ｂ、ＨＳＶ−２糖タンパク質Ｃ、ＨＳＶ−２糖タンパク質Ｄ、ＨＳＶ−２糖タンパク質Ｅ、ＨＳＶ−２糖タンパク質ＩＳ、及びＨＳＶ−２  ＩＣＰ４タンパク質から選択される少なくとも１つのＨＳＶ抗原性ポリペプチドをコードするオープンリーディングフレームをそれぞれ有する２つのＲＮＡポリヌクレオチドであって、場合によりＨＳＶ−２糖タンパク質ＣとＨＳＶ−２糖タンパク質ＤとをコードするＲＮＡポリヌクレオチド
を含む、請求項１または２に記載のＨＳＶワクチン。
【請求項４】
前記抗原性ポリペプチドが、配列番号２４〜５３または６６〜７７のうちのいずれか１つのアミノ酸配列に対して少なくとも９０％、少なくとも９５％、または９５％〜９９％の同一性を有するアミノ酸配列を含む、請求項１〜３のいずれか一項に記載のＨＳＶワクチン。
【請求項５】
前記抗原性ポリペプチドが、配列番号２４〜５３または６６〜７７のうちのいずれか１つのアミノ酸配列を含む、請求項４に記載のＨＳＶワクチン。
【請求項６】
前記ＲＮＡポリペプチドが、配列番号１〜２３もしくは５４〜６４のうちのいずれか１つのアミノ酸配列に対して少なくとも９０％、少なくとも９５％、または９５％〜９９％の同一性を有する核酸配列によってコードされる、あるいは、前記ＲＮＡポリペプチドが、配列番号９０〜１２４のうちのいずれか１つの核酸配列に対して少なくとも９０％、少なくとも９５％、または９５％〜９９％の同一性を有する核酸配列を含む、請求項１〜３のいずれか一項に記載のＨＳＶワクチン。
【請求項７】
前記ＲＮＡポリペプチドが、配列番号１〜２３もしくは５４〜６４のうちのいずれか１つの核酸配列によってコードされる、あるいは前記ＲＮＡポリペプチドが、配列番号９０〜１２４のうちのいずれか１つの核酸配列を含む、請求項５に記載のＨＳＶワクチン。
【請求項８】
前記ポリヌクレオチドがコードされるオープンリーディングフレームがコドン最適化された、請求項１〜７のいずれか一項に記載のＨＳＶワクチン。
【請求項９】
前記ＲＮＡポリヌクレオチドが、少なくとも１つの化学修飾を含む、請求項１〜８のいずれか一項に記載のＨＳＶワクチン。
【請求項１０】
（ｉ）前記化学修飾が、プソイドウリジン、Ｎ１−メチルプソイドウリジン、Ｎ１−エチルプソイドウリジン、２−チオウリジン、４’−チオウリジン、５−メチルシトシン、２−チオ−１−メチル−１−デアザ−プソイドウリジン、２−チオ−１−メチル−プソイドウリジン、２−チオ−５−アザ−ウリジン、２−チオ−ジヒドロプソイドウリジン、２−チオ−ジヒドロウリジン、２−チオ−プソイドウリジン、４−メトキシ−２−チオ−プソイドウリジン、４−メトキシ−プソイドウリジン、４−チオ−１−メチル−プソイドウリジン、４−チオ−プソイドウリジン、５−アザ−ウリジン、ジヒドロプソイドウリジン、５−メトキシウリジン及び２’−Ｏ−メチルウリジンから選択される、請求項９に記載のＨＳＶワクチン。
【請求項１１】
前記オープンリーディングフレーム中のウラシルの８０％から１００％が化学修飾を有する、請求項９または１０に記載のＨＳＶワクチン。
【請求項１２】
前記化学修飾がウラシルの５位にある、請求項９〜１１のいずれか一項に記載のＨＳＶワクチン。
【請求項１３】
前記化学修飾がＮ１−メチルプソイドウリジンである、請求項９〜１２のいずれか一項に記載のＨＳＶワクチン。
【請求項１４】
前記脂質ナノ粒子が、イオン化カチオン性脂質２０〜６０モル％、非カチオン性脂質５〜２５モル％、ステロール２５〜５５モル％及びＰＥＧ修飾脂質０．５〜１５モル％を含む、請求項１〜１３のいずれか一項に記載のＨＳＶワクチン。
【請求項１５】
前記非カチオン性脂質が中性脂質であり、前記ステロールがコレステロールである、請求項１〜１４のいずれか一項に記載のＨＳＶワクチン。
【請求項１６】
前記ＲＮＡポリヌクレオチドは、
（ｉ）場合により７ｍＧ（５’）ｐｐｐ（５’）Ｎ１ｍｐＮｐであるか、これを含む、５’末端キャップと、
（ｉｉ）少なくとも１つのＨＳＶ抗原性ポリペプチドをコードするオープンリーディングフレームと、
（ｉｉｉ）３’ポリＡテールと
を有する、請求項１〜１５のいずれか一項に記載のＨＳＶワクチン。
【請求項１７】
対象において抗原特異的免疫応答を誘導する方法にて使用するための請求項１〜１６のいずれか一項に記載のＨＳＶワクチンであって、前記方法は、抗原特異的免疫応答をもたらすのに有効な量で前記ワクチンを投与することを含む、前記ＨＳＶワクチン。
【請求項１８】
前記抗原特異的免疫応答がＴ細胞の応答またはＢ細胞の応答を含む、請求項１７に記載のＨＳＶワクチン。
【請求項１９】
前記方法が前記ワクチンの単回用量、または前記ワクチンの初回用量及び２回目（ブースター）用量の投与を含む、請求項１７または１８に記載のＨＳＶワクチン。
【請求項２０】
前記ワクチンが、皮内注射または筋肉注射によって投与される、請求項１７〜１９のいずれか一項に記載のＨＳＶワクチン。
【請求項２１】
前記有効量が５０μｇ〜１０００μｇの総用量である、請求項１７〜２０のいずれか一項に記載のＨＳＶワクチン。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
脂質ナノ粒子内に製剤化された水痘帯状疱疹ウイルス（ＶＺＶ）抗原性ポリペプチドをコードするオープンリーディングフレームを有するＲＮＡポリヌクレオチドを含む、ＶＺＶワクチンであって、
前記脂質ナノ粒子が、イオン性カチオン性脂質と、非カチオン性脂質と、ステロールと、ＰＥＧ修飾脂質とを含み、
前記ＲＮＡポリヌクレオチドがメッセンジャーリボ核酸（ｍＲＮＡ）である、ＶＺＶワクチン。
【請求項２】
前記オープンリーディングフレームが２つ以上のＶＺＶ抗原性ポリペプチドをコードする、請求項１に記載のＶＺＶワクチン。
【請求項３】
前記ＶＺＶ抗原性ポリペプチドが、ＶＺＶ糖タンパク質またはＶＺＶテグメントタンパク質である、請求項１または２に記載のＶＺＶワクチン。
【請求項４】
前記ＶＺＶ糖タンパク質が、ＶＺＶ  ｇＥ、ｇＩ、ｇＢ、ｇＨ、ｇＫ、ｇＬ、ｇＣ、ｇＮ及びｇＭから選択される、請求項３に記載のＶＺＶワクチン。
【請求項５】
前記ＶＺＶ  ｇＥポリペプチドが、ＥＲ保持、エンドサイトーシス及び／またはゴルジ体もしくはトランスゴルジ網への局在化に関連するモチーフ中に変異を有する、請求項４に記載のＶＺＶワクチン。
【請求項６】
（ｉ）前記バリアントＶＺＶ  ｇＥポリペプチドが、少なくとも１つのリン酸化酸性モチーフ中に少なくとも１つの変異を有する、
（ｉｉ）前記バリアントＶＺＶ  ｇＥポリペプチドが、配列番号１０に対してＹ５８２Ｇ変異を有する、
（ｉｉｉ）前記バリアントＶＺＶ  ｇＥポリペプチドが、配列番号１０に対してＹ５６９Ａ変異を有する、
（ｉｖ）前記バリアントＶＺＶ  ｇＥポリペプチドが、配列番号１０に対してＹ５８２Ｇ変異及びＹ５６９Ａ変異を有する、あるいは
（ｖ）前記ＶＺＶ抗原性断片が、配列番号１０に対してＹ５６９Ａ変異を有する、
請求項５に記載のＶＺＶワクチン。
【請求項７】
前記ＶＺＶ  ｇＥポリペプチドが、Ａ−Ｅ−Ａ−Ａ−Ｄ−Ａ配列（配列番号５８）を有する、またはＣ末端にＩｇκ配列を有する、請求項４に記載のＶＺＶワクチン。
【請求項８】
前記ＲＮＡポリヌクレオチドが、配列番号１〜８、３７、３９、４１、６０、６２、６４、６６、６８、７０、７２、７４、７６、７８、８０、８２、８４、８６、８８もしくは９０のいずれか１つの核酸配列によってコードされる、あるいは前記ＲＮＡポリヌクレオチドが、配列番号９２〜１０８及び１２３〜１３１、１３３及び１３４のいずれか１つの配列を含む、請求項１〜３のいずれか一項に記載のＶＺＶワクチン。
【請求項９】
前記ＲＮＡポリヌクレオチドが、配列番号１０、１４、２６、３０、４２及び４５〜５５のうちのいずれか１つのアミノ酸配列に対して少なくとも９０％、少なくとも９５％、少なくとも９６％、少なくとも９７％、少なくとも９８％、少なくとも９９％、または１００％の同一性を有する抗原性ポリペプチドをコードする、請求項３に記載のＶＺＶワクチン。
【請求項１０】
前記ポリヌクレオチドがコードされるオープンリーディングフレームがコドン最適化された、請求項１〜９のいずれか一項に記載のＶＺＶワクチン。
【請求項１１】
前記ＲＮＡポリヌクレオチドが少なくとも１つの化学修飾を含む、請求項１〜１０のいずれか一項に記載のＶＺＶワクチン。
【請求項１２】
前記化学修飾が、プソイドウリジン、Ｎ１−メチルプソイドウリジン、Ｎ１−エチルプソイドウリジン、２−チオウリジン、４’−チオウリジン、５−メチルシトシン、２−チオ−１−メチル−１−デアザ−プソイドウリジン、２−チオ−１−メチル−プソイドウリジン、２−チオ−５−アザ−ウリジン、２−チオ−ジヒドロプソイドウリジン、２−チオ−ジヒドロウリジン、２−チオ−プソイドウリジン、４−メトキシ−２−チオ−プソイドウリジン、４−メトキシ−プソイドウリジン、４−チオ−１−メチル−プソイドウリジン、４−チオ−プソイドウリジン、５−アザ−ウリジン、ジヒドロプソイドウリジン、５−メトキシウリジン及び２’−Ｏ−メチルウリジンからなる群から選択される、請求項１１に記載のＶＺＶワクチン。
【請求項１３】
前記オープンリーディングフレーム中のウラシルの８０％から１００％が化学修飾を有する、請求項１１または１２に記載のＶＺＶワクチン。
【請求項１４】
前記化学修飾がウラシルの５位にある、請求項１１〜１３のいずれか一項に記載のＶＺＶワクチン。
【請求項１５】
前記化学修飾がＮ１−メチルプソイドウリジンである、請求項１２〜１４のいずれか一項に記載のＶＺＶワクチン。
【請求項１６】
前記脂質ナノ粒子が、イオン化カチオン性脂質２０〜６０モル％、非カチオン性脂質５〜２５モル％、ステロール２５〜５５モル％及びＰＥＧ修飾脂質０．５〜１５モル％を含む、請求項１〜１５のいずれか一項に記載のＶＺＶワクチン。
【請求項１７】
前記非カチオン性脂質が中性脂質であり、前記ステロールがコレステロールである、請求項１〜１６のいずれか一項に記載のＶＺＶワクチン。
【請求項１８】
前記ＲＮＡポリヌクレオチドは、
（ｉ）場合により７ｍＧ（５’）ｐｐｐ（５’）Ｎ１ｍｐＮｐであるか、これを含む、５’末端キャップと、
（ｉｉ）少なくとも１つのＶＺＶ抗原性ポリペプチドをコードするオープンリーディングフレームと、
（ｉｉｉ）３’ポリＡテールと
を有する、請求項１〜１７のいずれか一項ＶＺＶワクチン。
【請求項１９】
対象において抗原特異的免疫応答を誘導する方法にて使用するための請求項１〜１８のいずれか一項に記載のＶＺＶワクチンであって、前記方法は、抗原特異的免疫応答をもたらすのに有効な量で前記ワクチンを投与することを含む、前記ＶＺＶワクチン。
【請求項２０】
前記抗原特異的免疫応答がＴ細胞の応答またはＢ細胞の応答を含む、請求項１９に記載の方法。
【請求項２１】
前記方法が前記ワクチンの単回用量、または前記ワクチンの初回用量及び２回目（ブースター）用量の投与を含む、請求項１９または２０に記載の方法。
【請求項２２】
前記ワクチンが、皮内注射または筋肉注射によって投与される、請求項１９〜２１のいずれか一項に記載の方法。
【請求項２３】
前記有効量が５０μｇ〜１０００μｇの総用量である、請求項１９〜２２のいずれか一項に記載の方法。
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
免疫原性成分として、有効量のMICアルファ3-ドメインを含むまたはこれからなるペプチドを含むワクチン組成物であって、
有効量が、MICアルファ3-ドメインに対する免疫反応を誘発するために有効な量である、ワクチン組成物。
【請求項２】
MICアルファ3-ドメインがMICAまたはMICBアルファ3-ドメインである、請求項1記載のワクチン組成物。
【請求項３】
MICアルファ3-ドメインが非グリコシル化型である、請求項1または2記載のワクチン組成物。
【請求項４】
ペプチドが、SEQ ID NO: 3またはSEQ ID NO: 4のアミノ酸配列を含むまたはこれからなる、請求項1〜3のいずれか一項記載のワクチン組成物。
【請求項５】
複数のペプチドを含む、請求項1〜4のいずれか一項記載のワクチン組成物。
【請求項６】
ペプチドが担体タンパク質へコンジュゲートされている、請求項1〜5のいずれか一項記載のワクチン組成物。
【請求項７】
GM-CSFをさらに含む、請求項1記載のワクチン組成物。
【請求項８】
MICアルファ3-ドメインタンパク質へ連結された単量体フェリチンサブユニットタンパク質を含む融合タンパク質であって、
単量体フェリチンサブユニットタンパク質が、融合タンパク質がナノ粒子へ自己組織化することを可能にするドメインを含む、融合タンパク質。
【請求項９】
単量体サブユニットが、ヘリコバクター・ピロリ（Helicobacter pylori）フェリチンタンパク質の単量体サブユニットである、請求項8記載の融合タンパク質。
【請求項１０】
シトシン-グアノシン(CpG)オリゴヌクレオチド配列をさらに含む、請求項8または9記載の融合タンパク質。
【請求項１１】
請求項8〜10のいずれか一項記載の融合タンパク質を含む、ナノ粒子。
【請求項１２】
複数のMICアルファ3-ドメインペプチドを含む、ナノ粒子。
【請求項１３】
請求項11または12記載のナノ粒子を含む、ワクチン組成物。
【請求項１４】
GM-CSFをさらに含む、請求項13記載のワクチン組成物。
【請求項１５】
対象中のがんの治療のためのワクチン組成物を製造するための、MICアルファ3-ドメインを含むまたはこれからなる有効量のペプチドの使用。
【請求項１６】
ワクチン組成物が、治療レジメンの一環として投与可能なように適合される、請求項15記載の使用。
【請求項１７】
治療レジメンが、放射線療法、標的療法、免疫療法、または化学療法である、請求項16記載の使用。
【請求項１８】
前記対象が、血清中の脱落MICについての検査で陽性であった、請求項15〜17のいずれか一項記載の使用。
【請求項１９】
ワクチン組成物が、MICアルファ3-ドメイン抗原以外の抗原について特異的な1つまたは複数のワクチンと共に使用されるように適合される、請求項15〜18のいずれか一項記載の使用。
【手続補正２】
【補正対象書類名】明細書
【補正対象項目名】００１６
【補正方法】変更
【補正の内容】
【００１６】
[本発明1001]
免疫原性成分として、有効量のMICアルファ3-ドメインを含むまたはこれからなるペプチドを含むワクチン組成物であって、
有効量が、MICアルファ3-ドメインに対する免疫反応を誘発するために有効な量である、ワクチン組成物。
[本発明1002]
MICアルファ3-ドメインがMICAまたはMICBアルファ3-ドメインである、本発明1001のワクチン組成物。
[本発明1003]
MICアルファ3-ドメインが非グリコシル化型である、本発明1001または1002のワクチン組成物。
[本発明1004]
ペプチドが、SEQ ID NO: 3またはSEQ ID NO: 4のアミノ酸配列を含むまたはこれからなる、本発明1001〜1003のいずれかのワクチン組成物。
[本発明1005]
複数のペプチドを含む、本発明1001〜1004のいずれかのワクチン組成物。
[本発明1006]
ペプチドが担体タンパク質へコンジュゲートされている、本発明1001〜1005のいずれかのワクチン組成物。
[本発明1007]
GM-CSFをさらに含む、本発明1001のワクチン組成物。
[本発明1008]
MICアルファ3-ドメインタンパク質へ連結された単量体フェリチンサブユニットタンパク質を含む融合タンパク質であって、
単量体フェリチンサブユニットタンパク質が、融合タンパク質がナノ粒子へ自己組織化することを可能にするドメインを含む、融合タンパク質。
[本発明1009]
単量体サブユニットが、ヘリコバクター・ピロリ（Helicobacter pylori）フェリチンタンパク質の単量体サブユニットである、本発明1008の融合タンパク質。
[本発明1010]
シトシン-グアノシン(CpG)オリゴヌクレオチド配列をさらに含む、本発明1008または1009の融合タンパク質。
[本発明1011]
本発明1008〜1010のいずれかの融合タンパク質を含む、ナノ粒子。
[本発明1012]
複数のMICアルファ3-ドメインペプチドを含む、ナノ粒子。
[本発明1013]
本発明1011または1012のナノ粒子を含む、ワクチン組成物。
[本発明1014]
GM-CSFをさらに含む、本発明1013のワクチン組成物。
[本発明1015]
本発明1001〜1007または1013〜1014のいずれかのワクチン組成物を対象へ投与する工程を含む、対象中のがんを治療する方法。
[本発明1016]
GM-CSFを投与する工程をさらに含む、本発明1015の方法。
[本発明1017]
ワクチン組成物を治療レジメンの一環として投与する、本発明1015または1016の方法。
[本発明1018]
治療レジメンが、放射線療法、標的療法、免疫療法、または化学療法である、本発明1017の方法。
[本発明1019]
前記対象が、血清中の脱落MICについての検査で陽性であった、本発明1015〜1018のいずれかの方法。
[本発明1020]
MICアルファ3-ドメイン抗原以外の抗原について特異的な1つまたは複数のワクチンを対象へ投与する工程を含む、本発明1015〜1019のいずれかの方法。
[本発明1021]
MICアルファ-3ドメインを発現する細胞を含むワクチンを前記対象へ投与する工程を含む、がんを治療するための方法。
[本発明1022]
MICに対する免疫反応を、複製または非複製ウイルスの使用によって誘導する、がんを治療するための方法。
本発明の他の特徴および利点は、以下の詳細な説明および特許請求の範囲から明らかとなり、これらによって包含される。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
少なくとも、
・予備形成共役ジエンモノマー、
・式（Ｉ）のメタロセン、
・助触媒としての有機金属化合物、に基づく触媒系。
｛Ｐ（Ｃｐ1）（Ｃｐ2）Ｙ｝    （Ｉ）
［式中、
−  Ｙは、希土類金属である金属原子を含む基を示し、
−  Ｃｐ1およびＣｐ2は、同一または異なり、フルオレニル基、シクロペンタジエニル基、およびインデニル基からなる群から選択され、前記基は、置換または非置換であり、
−  Ｐは、前記２つのＣｐ1およびＣｐ2基を架橋する、ケイ素又は炭素原子を含む基である］
【請求項２】
前記助触媒が、オルガノマグネシウム化合物、好ましくはジオルガノマグネシウムである、請求項１に記載の触媒系。
【請求項３】
Ｃｐ1およびＣｐ2が、同一であり、置換フルオレニル基、および式Ｃ13Ｈ8の前記非置換フルオレニル基からなる群から選択される、請求項１又は２に記載の触媒系。
【請求項４】
前記記号Ｙが、Ｍｅｔ−Ｇ基を表し、Ｍｅｔが、希土類金属である金属原子を示し、Ｇが、ホウ素化水素ＢＨ4単位を含む基を示すか、または塩素、フッ素、臭素、およびヨウ素からなる群から選択されるハロゲン原子Ｘを示す、請求項１から３までのいずれか１項に記載の触媒系。
【請求項５】
前記希土類金属が、ランタニドであり、その原子番号が、５７から７１まで変化する、請求項１から４までのいずれか１項に記載の触媒系。
【請求項６】
前記希土類金属が、ネオジム、Ｎｄである、請求項１から５までのいずれか１項に記載の触媒系。
【請求項７】
前記予備形成共役ジエンモノマーが、１，３−ジエンである、請求項１から６までのいずれか１項に記載の触媒系。
【請求項８】
前記予備形成共役ジエンモノマーが、１，３−ブタジエンである、請求項７に記載の触媒系。
【請求項９】
請求項１から８までのいずれか１項に記載の触媒系の調製の方法であって、以下の工程ａ）およびｂ）：
−  ａ）炭化水素溶媒中で、前記助触媒と前記メタロセンを反応させることと、
−  ｂ）前記予備形成共役ジエンモノマーと、工程ａ）からの前記反応生成物を反応させることと、を含む、方法。
【請求項１０】
請求項１から８までのいずれか１項に記載の触媒系の存在下でのモノマーＭの重合を含む、ポリマーの調製の方法であって、前記モノマーＭが、共役ジエン、エチレン、α−モノオレフィン、およびこれらの混合物からなる前記モノマーの群から選択される、前記方法。
【誤訳訂正書】
【提出日】令和2年2月3日(2020.2.3)
【誤訳訂正１】
【訂正対象書類名】明細書
【訂正対象項目名】００２３
【訂正方法】変更
【訂正の内容】
【００２３】
所定のトリガ条件を満たした場合、ＶＲ装置が仮想空間内の仮想物体の位置を決定する必要があることを示す。このとき、ＶＲ装置は、現実空間内の周辺装置の移動の軌跡を予め設定された頻度でサンプリングしてもよい。平面の位置を決定するためにはある平面上の少なくとも３つの点が必要であるため、ＶＲ装置は、移動の軌跡をサンプリングするときに、少なくとも３つのサンプリング点を取得してもよい。
【誤訳訂正２】
【訂正対象書類名】明細書
【訂正対象項目名】００２４
【訂正方法】変更
【訂正の内容】
【００２４】
例えば、ＶＲ装置は、現実空間における測位コンポーネントの移動の軌跡を所定のサンプリング頻度でサンプリングすることにより、少なくとも３つのサンプリング点を取得してもよい。または、ＶＲ装置は、指定されたボタンが押されたときに所定のサンプリング頻度で現実空間内の測位コンポーネントの移動の軌跡をサンプリングすることにより、少なくとも３つのサンプリング点を取得してもよい。
【誤訳訂正３】
【訂正対象書類名】特許請求の範囲
【訂正対象項目名】全文
【訂正方法】変更
【訂正の内容】
【特許請求の範囲】
【請求項１】
仮想空間における仮想物体の位置を決定する方法であって、
周辺装置の移動の軌跡に基づいて、前記仮想空間における前記仮想物体の位置を決定するための所定のトリガ条件が満たされたか否かを検出することと、
前記所定のトリガ条件が満たされた場合に、現実空間における前記周辺装置の移動の軌跡をランダムにサンプリングすることにより３つのサンプリング点を取得することと、
取得された前記３つのサンプリング点同士の接続線がループを形成する場合に、前記サンプリング点が存在する現実空間平面を決定することと、
予め設定された変換関係に従って、前記現実空間平面を仮想空間内の目標平面に変換することと、
前記目標平面上に前記仮想物体の指定された側面を置くことにより、前記仮想空間内の前記仮想物体の位置を決定することと、
を含む方法。
【請求項２】
前記周辺装置の移動の軌跡に基づいて、前記仮想空間における前記仮想物体の位置を決定するための所定のトリガ条件が満たされたか否かを検出することは、
前記周辺装置の測位コンポーネントが前記現実空間内の現実物体に接触しているかどうかを検出することを含む請求項１に記載の方法。
【請求項３】
前記所定のトリガ条件が満たされた場合に、現実空間における前記周辺装置の移動の軌跡をランダムにサンプリングすることにより３つのサンプリング点を取得することは、
前記測位コンポーネントが前記現実物体と接触する場合に、前記現実空間における測位コンポーネントの移動の軌跡をランダムにサンプリングすることにより、３つのサンプリング点を取得することを含む請求項２に記載の方法。
【請求項４】
取得された前記３つのサンプリング点同士の接続線がループを形成する場合に、前記サンプリング点が存在する現実空間平面を決定することは、
現実空間基準座標系における前記サンプリング点の座標値を決定することと、
取得された前記３つのサンプリング点同士の接続線がループを形成する場合の前記サンプリング点の座標値に従って、現実の平面をフィッティングすることと、を含む請求項１に記載の方法。
【請求項５】
前記目標平面上に前記仮想物体の指定された側面を置くことにより、前記仮想空間内の前記仮想物体の位置を決定することは、
前記仮想物体の指定された側面を前記目標平面上に置くことにより、前記仮想空間における前記仮想物体の位置を決定し、前記仮想物体は現実物体に対応し、前記指定された側面の参照点は前記目標平面の基準点と一致する請求項１に記載の方法。
【請求項６】
仮想空間における仮想物体の位置を決定する装置であって、
周辺装置の移動の軌跡に基づいて、前記仮想空間における前記仮想物体の位置を決定するための所定のトリガ条件が満たされたか否かを検出する検出部と、
前記所定のトリガ条件が満たされた場合に、現実空間における前記周辺装置の移動の軌跡をランダムにサンプリングすることにより３つのサンプリング点を取得するサンプリング部と、
取得された前記３つのサンプリング点同士の接続線がループを形成する場合に、前記サンプリング点が存在する現実空間平面を決定する決定部と、
予め設定された変換関係に従って、前記現実空間平面を仮想空間内の目標平面に変換する変換部と、
前記目標平面上に前記仮想物体の指定された側面を置くことにより、前記仮想空間内の前記仮想物体の位置を決定する位置決め部と、
を備える装置。
【請求項７】
前記検出部は、具体的には、前記周辺装置の測位コンポーネントが前記現実空間内の現実物体に接触しているかどうかを検出する請求項６に記載の装置。
【請求項８】
前記サンプリング部は、具体的には、前記測位コンポーネントが前記現実物体と接触する場合に、前記現実空間における測位コンポーネントの移動の軌跡をランダムにサンプリングすることにより、３つのサンプリング点を取得する請求項７に記載の装置。
【請求項９】
前記決定部は、
現実空間基準座標系における前記サンプリング点の座標値を決定する座標値決定手段と、
取得された前記３つのサンプリング点同士の接続線がループを形成する場合の前記サンプリング点の座標値に従って、現実の平面をフィッティングする平面フィッティング手段と、
を備える請求項６に記載の装置。
【請求項１０】
前記位置決め部は、具体的には、前記仮想物体の指定された側面を前記目標平面上に置くことにより、前記仮想空間における前記仮想物体の位置を決定し、前記仮想物体は現実物体に対応し、前記指定された側面の参照点は前記目標平面の基準点と一致する請求項６に記載の装置。
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
送信超音波周波数で超音波信号を送信する撮像トランスデューサヘッドと、
受信された反射超音波信号を処理するための受信回路とを備え、
前記受信回路が、調整可能の中心周波数及び帯域幅を有する調整可能バンドパスフィルタを備える閉ループを備えたアナログ−デジタル・シグマ・デルタ・コンバータを備え、
前記調整可能バンドパスフィルタの通過帯域の中心が、前記送信超音波周波数に対応する第１の周波数と前記送信超音波周波数の所望の高調波に対応する第２の周波数との間で調整可能である、超音波撮像システムプローブ。
【請求項２】
前記撮像トランスデューサヘッドは、トランスデューサ素子のアレイを備え、信号処理回路は、前記撮像トランスデューサヘッドのトランスデューサ素子ごとに、前記アナログ−デジタル・シグマ・デルタ・コンバータを備える、請求項１に記載の超音波撮像システムプローブ。
【請求項３】
前記受信回路は、各トランスデューサ素子と各アナログ−デジタル・シグマ・デルタ・コンバータとの間に増幅器を備える、請求項２に記載の超音波撮像システムプローブ。
【請求項４】
前記調整可能バンドパスフィルタは、低分解能高帯域幅モードと高分解能低帯域幅モードとの間で調整可能である、請求項１から請求項３までのいずれか一項に記載の超音波撮像システムプローブ。
【請求項５】
前記調整可能バンドパスフィルタは、さらに中分解能中帯域幅モードに調整可能である、請求項４に記載の超音波撮像システムプローブ。
【請求項６】
請求項１から請求項５までのいずれか一項に記載の超音波撮像システムプローブと、
プローブを制御するためのコントローラと、
ビームフォーマと、
前記受信回路からの信号を処理して超音波画像を生成するための信号処理回路とを備える、超音波システム。
【請求項７】
前記コントローラは、前記超音波システムの様々な受信動作モード間の切替えと同期して前記調整可能バンドパスフィルタを制御する、請求項６に記載の超音波システム。
【請求項８】
前記受信回路は、送信超音波信号の高調波である受信された反射超音波信号を処理する、請求項６又は請求項７に記載の超音波システム。
【請求項９】
撮像トランスデューサヘッドを使用して、画像化されるボリュームに超音波信号を与えるステップと、
アナログ−デジタル・シグマ・デルタ・コンバータの閉ループ内のバンドパスフィルタを調整することにより、受信された反射超音波信号を処理するステップであって、前記バンドパスフィルタが調整可能中心周波数及び帯域幅を有する、ステップとを有する超音波撮像方法であって、
当該超音波撮像方法が、調整可能な前記バンドパスフィルタの通過帯域の中心を送信超音波周波数又は前記送信超音波周波数の所望の高調波に設定するステップを有する、超音波撮像方法。
【請求項１０】
前記撮像トランスデューサヘッドは、トランスデューサ素子のアレイを備え、前記超音波撮像方法は、前記撮像トランスデューサヘッドの前記トランスデューサ素子ごとに、個々にアナログ−デジタル変換を実施するステップを有する、請求項９に記載の超音波撮像方法。
【請求項１１】
超音波システムの様々な受信動作モード間の切替えと同期して調整可能な前記バンドパスフィルタを調整するステップを有する、請求項９又は請求項１０に記載の超音波撮像方法。
【請求項１２】
前記受信動作モードは、低分解能高帯域幅モードと高分解能低帯域幅モードとを含む、請求項１１に記載の超音波撮像方法。
【請求項１３】
前記受信動作モードは、さらに中分解能中帯域幅モードを含む、請求項１２に記載の超音波撮像方法。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
３Ｄ超音波画像に基づいてツールを検知する画像処理ユニットを備える、ツールを検知するための装置であって、前記画像処理ユニットは、
第１のツール検知処置を実施する第１のツール検知モジュールと、
第２のツール検知処置を実施する第２のツール検知モジュールと、
を備え、前記第１のツール検知処置は、
前記３Ｄ超音波画像から平面的セクションのセットを取得することと、
前記平面的セクションのセットのうちの１つの平面的セクションに存在するツール影領域を特定することと、
特定された前記ツール影領域に基づいて、前記３Ｄ超音波画像内のツール平面セクションの場所を決定することとを含み、
前記ツール平面セクションは、前記３Ｄ超音波画像内における前記ツールの全長が存在する平面を表し、前記第２のツール検知処置は、
前記３Ｄ超音波画像における前記ツールの表現に基づいて前記ツールを検知することを含む、
装置。
【請求項２】
前記第１のツール検知モジュールは、複数の平面的セクションに存在する暗領域を検知し、前記暗領域が前記ツールの影に対応するか否かを決定することによって、複数のツール影領域を特定する、請求項１に記載の装置。
【請求項３】
前記第１のツール検知モジュールは、前記複数のツール影領域に基づいて、前記ツール平面セクションの向きを決定する、請求項２に記載の装置。
【請求項４】
前記第２のツール検知モジュールによって、前記３Ｄ超音波画像における前記ツールの表現に基づいて前記ツールを検知することは、強度及び／又は頻度をベースとするアルゴリズムを使用することを含む、請求項１から３のいずれか一項に記載の装置。
【請求項５】
前記３Ｄ超音波画像は、３Ｄボリュームデータセットであり、複数のボリューム要素を含み、前記第２のツール検知モジュールは、
３Ｄボリュームデータセットのガボール変換を実施することと、
前記３Ｄボリュームデータセットの各ボリューム要素について特徴ベクトルを求めることと、
複数の候補ツールボリューム要素を抽出するために、前記３Ｄボリュームデータセットの前記複数のボリューム要素を分類することと、
によって、前記第２のツール検知処置を実施する、請求項１から４のいずれか一項に記載の装置。
【請求項６】
前記３Ｄ超音波画像において前記ツールが見えるか否かを決定するように前記画像処理ユニットを制御し、
前記ツールが見えない場合、前記第１のツール検知処置を実施するように第１のツール検知ユニットを制御し、
前記ツールが見える場合、前記第２のツール検知処置を実施するように第２のツール検知ユニットを制御するコントローラを更に備える、
請求項１から５のいずれか一項に記載の装置。
【請求項７】
請求項１から６のいずれか一項に記載の装置と、
超音波放射線を３Ｄボリュームに向けるように設けられた超音波出射器と、
前記３Ｄボリュームによって反射された超音波放射線を検知する画像センサと、を備える超音波システムであって、
検知された超音波放射線に基づいて３Ｄ画像を生成し、前記３Ｄ画像を前記画像処理ユニットに通信する、
超音波システム。
【請求項８】
超音波画像を表示するためのディスプレイユニットを更に備え、前記画像処理ユニットは、前記ツール平面セクションの画像を前記ディスプレイユニットに送信する、請求項７に記載の超音波システム。
【請求項９】
超音波放射線を使用してツールを検知するための方法であって、
３Ｄボリュームデータセットを取得するステップと、
第１のツール検知処置を実施する前に、３Ｄ画像において前記ツールが見えるか否かを決定し、前記ツールが見えない場合、前記第１のツール検知処置を実施するステップとを有し、前記第１のツール検知処置を実施するステップは、
前記３Ｄボリュームデータセットの平面的セクションのセットを取得するステップであって、各平面的セクションは前記超音波放射線の送出方向に垂直な平面を表す、ステップと、
前記平面的セクションの前記セットの１つの平面的セクションにおけるツール影領域を特定するステップと、
特定された前記ツール影領域に基づいて、前記３Ｄボリュームデータセット内のツール平面セクションの場所を決定するステップとを含み、
前記ツール平面セクションは前記ツールの全長が存在する平面を表す、
方法。
【請求項１０】
複数のツール影領域が特定され、前記ツール平面セクションの場所は前記ツール影領域に基づいて計算される、請求項９に記載の方法。
【請求項１１】
複数のツール影領域を特定するステップは、前記平面的セクションに存在する暗領域を検知するステップと、前記暗領域が前記ツールの影に対応するか否かを決定するステップとを含む、請求項１０に記載の方法。
【請求項１２】
１つの平面セクションの暗領域が前記ツールの影に対応するかどうかを決定するステップは、前記暗領域が他の平面セクションの暗領域と一致するかどうかを決定するステップを含む、請求項１１に記載の方法。
【請求項１３】
前記第１のツール検知処置を実施する前に、前記３Ｄ画像において前記ツールが見えるか否かを決定するステップと、前記ツールが見えない場合、前記第１のツール検知処置を実施するステップとを更に有する、請求項９から１２のいずれか一項に記載の方法。
【請求項１４】
コンピュータプログラムがコンピュータ上で実行されたときに、請求項９から１３のいずれか一項に記載の方法を実施するコード手段を備える、コンピュータプログラム。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
対象者におけるいびき及び／又は睡眠時無呼吸を治療するための口腔内装置（１０）であって、
（１）前方部分（１６）、後方部分（１８）、右側（１２）、左側（１４）、頬側（８）、舌側（９）、冠状面（１３０）、内面（１１）、及び外面（１３）を有する上部トレー（１００）であって、
（ａ）前記上部トレー（１００）の内面（１１）によって囲まれた受け部（２０）と、
（ｂ）係合面（８４）を有する前端（８１）、後端（８３）、上面（８８）、下面（９１）、及び側面（８５）を具える右側の側面の突出部（８７）であって、前記上部トレー（１００）の後方部分（１８）における前記上部トレー（１００）の右側の前記頬側（８）に連結される、右側の側面の突出部（８７）と、
（ｃ）第１の側面（３０４）、第２の側面（３０６）、前端（３０２）、及び後端（３１０）を具える右側インサート（３００）であって、前記後端（３１０）は、前記右側の側面の突出部（８７）の前端（８１）に可逆的に取り付けられるよう構成される、右側インサート（３００）と、
（ｄ）係合面（８４）を有する前端（８１）、後端（８３）、上面（８８）、下面（９１）、及び側面（８５）を具える左側の側面の突出部であって、前記上部トレー（１００）の後方部分（１８）における前記上部トレー（１００）の左側の頬側面（８）に連結される、左側の側面の突出部と、
（ｅ）第１の側面（３０４）、第２の側面（３０６）、前端（３０２）、及び後端（３１０）を具える左側インサート（３００）であって、前記後端（３１０）は、前記左側の側面の突出部の前端（８１）に可逆的に取り付けられるよう構成される、左側インサート（３００）と、を具える上部トレー（１００）と、
（ｂ）前方部分（１６）、後方部分（１８）、右側（１２）、左側（１４）、頬側（８）、舌側（９）、冠状面（２３０）、内面（１１）、及び外面（１３）を有する下部トレー（２００）であって、
（ａ）前記下部トレー（１００）の内面（１１）によって囲まれた受け部（２０）と、
（ｂ）近位端（５２）、遠位端（５４）、内面（５１）、外面（５３）、前側（５６）、及び後側（５８）を有する右側の上方に延在する突出部（５０）であって、前記近位端（５２）で前記下部トレー（２００）の右側に連結され、そこから上方に延在し、前記突出部（５０）の前記後側（５８）は、前記上部トレー（１００）の右側の前記右側インサート（３００）の前記前側（３０２）に面する、右側の上方に延在する突出部（５０）と、
（ｃ）近位端（５２）、遠位端（５４）、内面（５１）、外面（５３）、前側（５６）、及び後側（５８）を有する左側の上方に延在する突出部（５０）であって、前記近位端（５２）で前記下部トレー（２００）の左側に連結され、そこから上方に延在し、前記突出部の後側（５８）は、前記上部トレー（１００）の左側の前記左側インサート（３００）の前面（３０２）に面する、左側の上方に延在する突出部（５０）と、を具える下部トレー（２００）とを具え、
前記右側インサートの前面は、前記右側の上方に延在する突出部の後面に接触する係合面を具え、前記左側インサートの前面は、前記左側の上方に延在する突出部の後面に接触する係合面を具え、これによって前記上部トレー（１００）の前記下部トレー（２００）に対する前方への配置が制限され、対象者による前記口腔内装置の使用時にいびき及び／又は無呼吸が緩和され、
前記上部トレー（１００）及び前記下部トレー（２００）の受け部（２０）は、それぞれ歯科矯正トレー（４００）を受け入れて保持するように構成され、又は前記上部トレー（１００）及び前記下部トレー（２００）の受け部（２０）は、それぞれ前記装置が対象者により着用される時に、対象者の１又はそれ以上の歯を再配置し、及び／又は対象者の下顎及び／又は上顎の構成を変えるように構成されることを特徴とする口腔内装置。
【請求項２】
請求項１に記載の口腔内装置において、前記上部トレー（１００）は、上部切歯面（１０１）を具えるとともに、前記下部トレー（２００）は、下部切歯面（２０１）を具え、前記上部トレー（１００）の冠状面（１３０）が、前記装置の後方部分において前記下部トレー（２００）の冠状面（２３０）に接触した時に、前記上部切歯面（１０１）及び前記下部切歯面（２０１）の少なくとも一部が接触せず、これによって前方開口（７６）が形成されて、使用時に空気の流れが前記前方開口（７６）を通ることが可能となることを特徴とする口腔内装置。
【請求項３】
請求項１に記載の口腔内装置において、それぞれのインサート（３００）の後端（３１０）は、締り嵌めでそれぞれの側面の突出部（８０）の前端（８１）に可逆的に取り付けられることを特徴とする口腔内装置。
【請求項４】
請求項１に記載の口腔内装置において、それぞれの側面の突出部（８０）の前端（８１）は凹部を具え、それぞれのインサート（３００）の後端（３１０）は、前記凹部内に嵌り、それによって前記インサート（３００）をそれぞれの側面の突出部（８０）に固定するように適合された後方の突出部を具えることを特徴とする口腔内装置。
【請求項５】
請求項４に記載の口腔内装置において、前記後方の突出部は、側方且つ後方に延在する面を有するくさびを具え、前記凹部は、くさび形状であって、前記突出部をさねはぎ式に受け入れて保持するように構成されることを特徴とする口腔内装置。
【請求項６】
請求項１に記載の口腔内装置において、複数対のインサート（３００）を更に具え、それらの前記対のインサートのうち少なくともいくつかは、他の対のインサートの側面と比べて、長さの異なる側面を有するインサートを具えることを特徴とする口腔内装置。
【請求項７】
請求項１に記載の口腔内装置において、第１の歯科矯正トレー（４０２）、及び第２の歯科矯正トレー（４０４）を更に具え、これらの歯科矯正トレー（４００）はそれぞれ、対象者の歯の少なくともいくつかに接触するための内面（４０３）、及び外面（４０５）を具え、前記歯科矯正トレー（４００）は、それぞれの歯科矯正トレー（４００）の前記外面（４０５）がそれぞれの受け部（２０）の前記内面（１１）に接触するように前記口腔内装置のそれぞれの受け部（２０）内で受け入れ可能であることを特徴とする口腔内装置。
【請求項８】
請求項７に記載の口腔内装置において、前記歯科矯正トレーは、一連の第１の歯科矯正トレー、及び一連の第２の歯科矯正トレーを具え、これらの一連の歯科矯正トレーはそれぞれ、対象者の歯の位置、及び／又は前記対象者の顎の形状を変えるために、異なる構成を具えることを特徴とする口腔内装置。
【請求項９】
請求項７に記載の口腔内装置において、前記上部トレー（１００）の前記受け部（２０）は、前記第１の歯科矯正トレーの全部を受け入れるよう形成され、前記下部トレー（２００）の前記受け部（２０）は、前記第２の歯科矯正トレーの全部を受け入れるよう形成されることを特徴とする口腔内装置。
【請求項１０】
対象者の歯を再配置するための請求項１に記載の一連の口腔内装置であって、前記一連のうち上部トレー（１００）及び下部トレー（２００）のそれぞれは、対象者の中間又は最終的な歯列に対応する、異なって構成された受け部（２０）を有することを特徴とする一連の口腔内装置。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
生理溶液に応答して、異なって膨潤及び／又は異なって伸長して、ロッドを曲線形状に変化させる、互いに結合した第１キセロゲル及び第２キセロゲルを含むロッドを含む固体ビヒクル内に配置された治療薬を含む薬物送達用デバイスであって、前記ロッドが、第１キセロゲル及び／又は第２キセロゲルからの前記治療薬の制御された放出をもたらすデバイス。
【請求項２】
前記ロッドが、生理溶液中への配置前に、少なくとも１：１０のアスペクト比を有する、請求項１に記載のデバイス。
【請求項３】
水溶液中でコイルを形成するロッドを有する、請求項１または２に記載のデバイス。
【請求項４】
前記ロッドが、水溶液中への導入から３０秒以内にコイルを形成する、請求項３に記載のデバイス。
【請求項５】
治療薬を送達するための請求項１〜４のいずれか１項に記載のデバイスの使用であって、前記ロッドが、眼内、結膜中、角膜上、強膜上、強膜内、眼の内壁上、眼球内、硝子体内、網膜上、網膜付近だが網膜に接触しない地点、脈絡膜上、脈絡膜内、潜在空隙内、ビヒクルを受けるために人工的に形成された管腔、眼房内、後眼房内、硝子体液と接触して、硝子体管内、硝子体液中、房水中、又は組織に導入される、使用。
【請求項６】
第１キセロゲル、第２キセロゲル、及び治療薬を含む組成物であって、
前記第１キセロゲルが、ロッドの形状であり、前記第２キセロゲルが第１キセロゲル上の層として配置され、
前記第１キセロゲル及び第２キセロゲルが、生理溶液中で異なって膨潤または伸長して一緒に曲線又はコイル形状を形成し、及び
前記治療薬が、制御された様式で放出される、組成物。
【請求項７】
前記第１キセロゲルが、生理溶液中での第１伸長係数を有し、前記第２キセロゲルが、生理溶液中での第２伸長係数を有し、第１及び第２伸長係数が異なる、請求項６に記載の組成物。
【請求項８】
前記第１伸長係数が、１未満であり、前記第２伸長係数が、少なくとも１である、請求項７に記載の組成物。
【請求項９】
前記第１伸長係数が、０．１〜０．５であり、前記第２伸長係数が、１〜１０である、請求項７に記載の組成物。
【請求項１０】
前記第１キセロゲルが、生理溶液中での第１膨潤係数を有し、前記第２キセロゲルが、生理溶液中での第２膨潤係数を有し、第１及び第２膨潤係数が異なる、請求項６に記載の組成物。
【請求項１１】
前記第１膨潤係数が、１．０〜２．０であり、前記第２膨潤係数が、２．０〜１０である、請求項１０に記載の組成物。
【請求項１２】
前記第１および第２キセロゲルが、生理溶液中への導入から３０秒以内に前記曲線又は前記コイルを形成する、請求項６に記載の組成物。
【請求項１３】
前記第１キセロゲル、前記第２キセロゲルの中心軸に垂直な断面において、前記第２キセロゲルが、前記第１キセロゲルの断面積よりも大きい断面積を有する、請求項６に記載の組成物。
【請求項１４】
前記第２キセロゲルの前記断面積の、前記第１キセロゲルの前記断面積に対する比が、少なくとも１：１であって、５：１未満である、請求項１３に記載の組成物。
【請求項１５】
前記第１キセロゲル及び前記第２キセロゲルが、生理溶液中で、２日〜５年から独立に選択される速度で分解する、請求項６に記載の組成物。
【請求項１６】
前記第１キセロゲルが、少なくとも１つの第１架橋ポリマーを含み、前記第２キセロゲルが、少なくとも１つの第２架橋ポリマーを含む、請求項６に記載の組成物。
【請求項１７】
前記第１キセロゲル及び前記第２キセロゲルが、天然、合成、及び生合成ポリマーから独立に選択される、請求項６に記載の組成物。
【請求項１８】
前記第１キセロゲル及び前記第２キセロゲルが、共有結合によって結合される、請求項６に記載の組成物。
【請求項１９】
前記第２キセロゲルが、第２前駆体に架橋した第１前駆体を含む、請求項６に記載の組成物。
【請求項２０】
前記第一前駆体及び／又は前記第２前駆体が、ポリエチレングリコール反復を含む、請求項６に記載の組成物。
【請求項２１】
前記第１前駆体が、ポリエチレングリコール反復を含む、請求項２０に記載の組成物。
【請求項２２】
前記第２前駆体が、ポリエチレングリコール反復を含む、請求項２０に記載の組成物。
【請求項２３】
治療薬が、ミリリットル当たり１０マイクログラム以下の水溶液溶解度を有する、請求項６に記載の組成物。
【請求項２４】
治療薬が、抗血管新生薬、チロシンキナーゼ阻害剤、抗ＶＥＧＦ剤、抗ＰＤＧＦ剤、抗Ａｎｇ２剤、ステロイド、抗生物質、ＮＳＡＩＤ、又はアキシチニブである、請求項６に記載の組成物。
【請求項２５】
請求項６〜２４のいずれかに記載の組成物を含む、薬物送達のためのデバイス。
【請求項２６】
第１前駆体を架橋させることにより、第１ハイドロゲルを形成し、前記第１ハイドロゲルを、架橋されて前記第２ハイドロゲルを形成する第２前駆体に曝露することにより、組織への治療薬の送達のための固体の形状変化ビヒクルを製造するプロセスであって、
前記第１ハイドロゲルが、第１膨潤係数を有し、且つ前記第２ハイドロゲルが、第２膨潤係数を有し、ここで、前記第２膨潤係数は、前記第１膨潤係数より低く、前記第２ハイドロゲルは、水溶液への曝露後に、前記第１ハイドロゲルよりも低い程度で長さが変化し、
前記第１ハイドロゲルおよび前記第２ハイドロゲルが、ロッドとして形成され、前記治療薬が、前記第１ハイドロゲル及び／又は第２ハイドロゲル内に配置され、
前記第１ハイドロゲルが、第１キセロゲルであり、前記第２ハイドロゲルが、第２キセロゲルであるようにロッドから液体を除去し、
水溶液への曝露後に、前記第１ハイドロゲルおよび前記第２ハイドロゲルが、前記水溶液中で、異なって膨潤及び／又は伸長して、前記ロッドが形状を変化させる、プロセス。
【請求項２７】
前記第１キセロゲルが、水溶液への曝露後に長さが減少する、請求項２６に記載のプロセス。
【請求項２８】
前記第１キセロゲルが、水溶液への曝露後に長さが増加する、請求項２６に記載のプロセス。
【請求項２９】
水溶液への曝露後に、前記第２キセロゲルが、長さが増加するか、又は前記第２キセロゲルが、長さが減少する、請求項２６〜２８のいずれか１項に記載のプロセス。
【請求項３０】
前記第１ハイドロゲル及び前記第２ハイドロゲルが、型内で形成され、前記第１ハイドロゲル及び前記第２ハイドロゲルが、個別又は同時に前記型に導入される、請求項２６〜２９のいずれか１項に記載のプロセス。
【請求項３１】
前記第１前駆体及び前記第２前駆体を少なくとも部分的に架橋させた後、結合した前記ハイドロゲルを引っ張るステップをさらに含む、請求項２６〜３０のいずれか１項に記載のプロセス。
【請求項３２】
前記第１ハイドロゲルが、第１前駆体を架橋させることにより形成され、前記第１ハイドロゲルを引っ張るステップをさらに含み、前記第１材料が、半結晶性であり、前記引っ張りステップが、前記第１ハイドロゲル内に晶子を配向させる、請求項２６〜３１のいずれか１項に記載のプロセス。
【請求項３３】
前記ロッドが、水溶液への曝露時にコイルを形成する、請求項２６〜３２のいずれか１項に記載のプロセス。
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
培養乳製品中に存在するガス産生大腸菌群を計数する方法であって、
既定量の前記乳製品及び既定容量の希釈剤を含む混合物を形成することと、
前記混合物を薄膜培養デバイスに接種して、大腸菌群を増殖させるための栄養培地、有効濃度のラクトース、及び有効濃度のＭＯＰＳを含むヒドロゲルを形成することと、
大腸菌群の増殖を促進する条件下で前記接種済み薄膜培養デバイスをインキュベートすることと、
前記接種済み培養デバイスに存在するガス産生コロニーを特定し計数することと
を含む、方法。
【請求項２】
前記ヒドロゲル中のＭＯＰＳの前記有効濃度が１６ｍＭ以上であり、かつ４０ｍ以下である、請求項１に記載の方法。
【請求項３】
前記希釈剤が前記ＭＯＰＳを含む、請求項１又は２に記載の方法。
【請求項４】
前記希釈剤中の前記ＭＯＰＳの前記濃度が２５ｍＭ以上であり、かつ４５ｍＭ以下である、請求項３に記載の方法。
【請求項５】
前記培養乳製品が、ヨーグルト、サワークリーム、バターミルク、カード、レベン、カルピス、ケフィア、アイラン、カティーク、凝乳、及びカッテージチーズからなる群から選択される、請求項１〜４のいずれか一項に記載の方法。
【請求項６】
前記ヒドロゲル中のラクトースの前記有効濃度が０．５％（ｗ／ｖ）以上である、請求項１〜５のいずれか一項に記載の方法。
【請求項７】
前記ヒドロゲル中のラクトースの前記有効濃度が１．２５％（ｗ／ｖ）以下である、請求項６に記載の方法。
【請求項８】
ガス産生コロニーを計数することが、セラチア属のコロニーを計数することを含む、請求項１〜７のいずれか一項に記載の方法。
【請求項９】
前記薄膜培養デバイスに接種した後に、前記ヒドロゲルが、大腸菌群の増殖を促進する栄養培地を含む、請求項１〜８のいずれか一項に記載の方法。
【請求項１０】
前記薄膜培養デバイスに接種した後に、前記ヒドロゲルが、非大腸菌群の増殖を阻害する選択剤を含む、請求項１〜９のいずれか一項に記載の方法。
【請求項１１】
前記薄膜培養デバイスに接種する前に、前記培養デバイスが前記選択剤を含む、請求項１０に記載の方法。
【請求項１２】
前記薄膜培養デバイスが、基材と、カバーシートと、前記基材と前記カバーシートとの間に配置された乾燥した再水和可能な冷水可溶性ゲル化剤とを備え、前記混合物を前記薄膜培養デバイスに接種して前記ヒドロゲルを形成することが、前記デバイスの前記カバーシート及び前記基材に接触する前記ヒドロゲルを形成することを含み、ガス産生コロニーを特定することが、前記ヒドロゲル中の前記コロニーに近接した空隙を観察することを含む、請求項１〜１１のいずれか一項に記載の方法。
【請求項１３】
前記ヒドロゲル中の前記空隙を観察することが、空隙を貫通する直線に沿って少なくとも０．５ｍｍの寸法を有する空隙を観察することを含む、請求項１２に記載の方法。
【請求項１４】
前記空隙が、前記ヒドロゲル中で視覚的に検出可能な細菌コロニーから１．５ｍｍ以下離れて配置されている、請求項１３に記載の方法。
【請求項１５】
ガス産生コロニーを計数することが、自動コロニー計数装置を使用して前記ガス産生コロニーを計数することを含む、請求項１〜１４のいずれか一項に記載の方法。